(57)【要約】【課題】匂いの強い荷物を混載しても適切な荷物の輸送が行える物流システムを提供する。【解決手段】  輸送車１０を用いて荷物Ｗを輸送するための物流システム１において、輸送すべき荷物Ｗの荷物情報を取得する荷物情報取得部３１と、輸送すべき荷物Ｗが匂いの強い荷物Ｗ１であるか否かを判定する判定部３２と、判定部３２により匂いの強い荷物Ｗ１があると判定された場合に匂いについて相性の良い荷物同士を同一の輸送車１０に積載する積載設定を行う積載設定部３４と、積載設定部３４により設定された積載設定の情報を出力する配送部４とを備えて構成されている。【選択図】図１
2020170246.tif 000002
【特許請求の範囲】
【請求項１】
輸送車を用いて荷物を輸送するための物流システムにおいて、
輸送すべき前記荷物の荷物情報を取得する取得部と、
輸送すべき前記荷物が匂いの強い荷物であるか否かを判定する判定部と、
前記判定部により前記匂いの強い荷物があると判定された場合、匂いについて相性の良い荷物同士を同一の輸送車に積載する積載設定を行う積載設定部と、
前記積載設定部により設定された積載設定の情報を出力する出力部と、
を備える物流システム。
【請求項２】
前記匂いの強い荷物について混載の相性の良い荷物の組合せデータを記憶する記憶部を備え、
前記積載設定部は、前記組合せデータに基づいて前記匂いの強い荷物の積載の設定を行う、
請求項１に記載の物流システム。
【発明の詳細な説明】
【技術分野】
【０００１】
本発明は、物流システムに関する。
【背景技術】
【０００２】
従来、荷物の輸送する物流システムに関し、例えば、特開２００８−０３３６９９号公報に記載されるように、車両を用いて荷物の輸送を行うシステムであって、荷物の種類、大きさ、配送先等の荷物情報に基づいて、配車すべき車両の積載能力や台数を決定するものが知られている。
【先行技術文献】
【特許文献】
【０００３】
【特許文献１】特開２００８−０３３６９９号公報
【発明の概要】
【発明が解決しようとする課題】
【０００４】
このようなシステムにおいて、匂いの強い荷物の輸送が依頼される場合がある。強い匂いを発する荷物は、他の荷物に匂いを移すため、同一の車両において他の荷物と混載することが難しい。これに対し、匂いの強い荷物と匂いの強くない荷物を別々の車両で輸送を行うと、荷物の輸送効率が低下してしまう。
【０００５】
そこで、匂いの強い荷物を混載しても適切な荷物の輸送が行える物流システムの開発が望まれている。
【課題を解決するための手段】
【０００６】
そこで、本開示の一態様に係る物流システムは、輸送車を用いて荷物を輸送するための物流システムにおいて、輸送すべき荷物の荷物情報を取得する取得部と、輸送すべき荷物が匂いの強い荷物であるか否かを判定する判定部と、判定部により匂いの強い荷物があると判定された場合、匂いについて相性の良い荷物同士を同一の輸送車に積載する積載設定を行う積載設定部と、積載設定部により設定された積載設定の情報を出力する出力部とを備えて構成されている。この物流システムによれば、匂いの強い荷物を輸送する場合、匂いについて相性の良い荷物同士を同一の輸送車に積載する。これにより、匂いの強い荷物を他の荷物と混載して輸送することでき、荷物の輸送が効率良く行える。
【０００７】
本開示の一態様に係る物流システムにおいて、匂いの強い荷物について混載の相性の良い荷物の組合せデータを記憶する記憶部を備え、積載設定部は、組合せデータに基づいて匂いの強い荷物の積載の設定を行ってもよい。この場合、組合せデータに基づいて匂いの強い荷物の積載の設定を行うことにより、相性の良い荷物同士の積載設定が的確に行える。
【発明の効果】
【０００８】
本開示に係る発明によれば、匂いの強い荷物を効率良く輸送することができる。
【図面の簡単な説明】
【０００９】
【図１】本開示の実施形態に係る物流システムの電気的構成を示すブロック図である。
【図２】図１の物流システムにおける匂いの強い荷物の相性を示す図である。
【図３】図１の物流システムのクロスドックにおける荷物の流れを説明するための模式図である。
【図４】図１の物流システムの動作を示すフローチャートである。
【発明を実施するための形態】
【００１０】
以下、本発明の実施形態について、図面を参照しながら説明する。なお、図面の説明において同一要素には同一符号を付し、重複する説明は省略する。
【００１１】
図１は、本発明の実施形態に係る物流システムの電気的構成を示すブロック図である。図２は、匂いの強い荷物の説明図である。図１に示すように、物流システム１は、輸送車１０を用いて荷物Ｗを輸送するための物流システムである。輸送車１０にはコンテナ１１が設けられ、コンテナ１１に荷物Ｗを積載して荷物Ｗの輸送が行われる。コンテナ１１は、荷物Ｗを積載するための箱型の容器であり、例えば床部、前後左右の側部及び天井部を有するものが用いられる。輸送車１０は、集配センタから他の集配センタへ荷物Ｗの輸送を行う車両である。集配センタは、例えば輸送クロスドックや物流ターミナルなどが該当する。
【００１２】
コンテナ１１に積載する荷物Ｗの中には、匂いの強い荷物Ｗ１がある。このような匂いの強い荷物Ｗ１を他の荷物Ｗと同じコンテナ１１に混載すると、匂いの強い荷物Ｗ１の匂いが他の荷物Ｗに移ってしまう。このため、このような事態を回避しつつ、匂いの強い荷物Ｗ１を効率よく輸送することが必要となる。ここで、匂いの強い荷物Ｗ１は、所定以上の匂いを発する荷物である。例えば、匂いの強い荷物Ｗ１となる物品について、予めサーバ３に設定されている。なお、匂いの強い荷物Ｗ１は、荷物Ｗに含まれる。
【００１３】
物流システム１は、受注部２、サーバ３及び配送部４を備えている。サーバ３と受注部２及び配送部４は、データなどの通信が可能に構成されている。サーバ３と受注部２及び配送部４との通信は、例えばインターネットを介して行ってもよいし、相互に接続した信号線を介して行ってもよい。受注部２は、輸送すべき荷物Ｗの情報を入力する部位であり、例えば荷物Ｗを集配する営業所に設置される端末、集配するドライバが携帯する端末などが該当する。荷物Ｗの情報には、配送先、大きさ、重量、物品の種類が含まれる。
【００１４】
サーバ３は、物流システム１の全体の制御処理を行う電子制御ユニットであり、例えばＣＰＵ（Central Processing Unit）、ＲＯＭ（Read Only Memory）、ＲＡＭ（Random Access Memory）を含むコンピュータにより構成されている。サーバ３には、荷物情報取得部３１、判定部３２、記憶部３３及び積載設定部３４を備えている。この荷物情報取得部３１、判定部３２、記憶部３３及び積載設定部３４は、例えばサーバ３に導入される制御プログラムによって構成されてもよいし、サーバ３内に個々の電子制御ユニットとして構成されてもよい。
【００１５】
荷物情報取得部３１は、輸送すべき荷物Ｗの情報を取得する。例えば、荷物情報取得部３１は、荷物Ｗの配送先、大きさ、重量、種類などの情報を取得し記録する。荷物Ｗの情報は、受注部２から入力されるデータに基づいて取得される。また、荷物Ｗの情報は、発注を受けた荷物Ｗを集配所や輸送クロスドックなどへ輸送する際に配送車に設けられるカメラの画像に基づいて取得されてもよい。また、荷物Ｗの情報は、輸送クロスドック内などで搬送される荷物Ｗに対しコンベアに設置されるセンサにより取得されてもよい。
【００１６】
判定部３２は、輸送すべき荷物Ｗが匂いの強い荷物Ｗ１であるか否かを判定する。例えば、判定部３２は、輸送すべき荷物Ｗが匂いの強い種類の物品である場合、この荷物Ｗが匂いの強い荷物Ｗ１であると判定する。一方、判定部３２は、輸送すべき荷物Ｗが匂いの強い種類の物品でない場合、この荷物Ｗが匂いの強い荷物Ｗ１でないと判定する。匂いの強い種類の物品については、予めサーバ３に記録されている。
【００１７】
記憶部３３は、匂いの強い荷物Ｗ１のデータを記憶する部位である。例えば、記憶部３３には、匂いの強い荷物Ｗが記憶されている。例えば、図２に示すように、コーヒー、カレー、しょう油、バター、シンナー、ガソリン、ゴム、草木、薬草、魚、のり、煮干しなどの物品の荷物Ｗは、匂いの強い荷物Ｗ１として記憶されている。輸送すべき荷物Ｗがこれらのいずれかの物品の荷物Ｗである場合には、その荷物Ｗは匂いの強い荷物Ｗ１であると判定される。一方、輸送すべき荷物Ｗがこれらのいずれかの物品の荷物Ｗにも該当しない場合には、その荷物Ｗは匂いの強い荷物Ｗ１でないと判定される。
【００１８】
また、記憶部３３は、匂いの強い荷物Ｗ１について混載の相性の良い荷物の組合せデータを記憶している。例えば、図２に示すように、コーヒーとカレーは同一のグループとして記憶され、コーヒーとカレーの匂いの強い荷物Ｗ１について混載の相性が良い組合せであると記憶される。また、その他の混載の相性が良い組合せとして、しょう油とバター、シンナーとガソリンとゴム、草木と薬草、魚とのりと煮干しなどがそれぞれ記憶されている。
【００１９】
積載設定部３４は、輸送車１０のコンテナ１１に対する荷物Ｗの積載設定を行う。例えば、積載設定部３４は、荷物Ｗの配送先、大きさ、重量を含む荷物情報に応じてコンテナ１１に積載する荷物Ｗを決定する。積載設定部３４は、荷物Ｗの中に匂いの強い荷物Ｗ１がない場合、通常積載設定を行う。例えば、積載設定部３４は、荷物Ｗの大きさ、重量を含む荷物情報を考慮してコンテナ１１にできるだけ多くの荷物Ｗが積載できるように積載設定を行う。一方、積載設定部３４は、荷物Ｗの中に匂いの強い荷物Ｗ１がある場合、相性調整積載設定を行う。例えば、積載設定部３４は、匂いについて相性の良い荷物同士を同一の輸送車に積載する積載設定を行う。つまり、積載設定部３４は、記憶部３３に記憶される匂いの強い荷物Ｗ１について混載の相性の良い荷物の組合せデータに基づいて、匂いの強い荷物Ｗ１の積載の設定を行う。
【００２０】
具体的には、同じ組合せであるコーヒーとカレーの匂いの強い荷物Ｗ１については、同じコンテナ１１に積載されるように設定が行われる。また、同じ組合せであるしょう油とバターの匂いの強い荷物Ｗ１については、同じコンテナ１１に積載されるように設定が行われる。また、同じ組合せであるシンナーとガソリンとゴムの匂いの強い荷物Ｗ１については、同じコンテナ１１に積載されるように設定が行われる。また、同じ組合せである草木と薬草の匂いの強い荷物Ｗ１については、同じコンテナ１１に積載されるように設定が行われる。また、同じ組合せである魚とのりと煮干しの匂いの強い荷物Ｗ１については、同じコンテナ１１に積載されるように設定が行われる。このように異なる物品の匂いの強い荷物Ｗ１であっても、同じコンテナ１１に積載設定が可能となる。このため、荷物Ｗの積載効率及び荷物Ｗの輸送効率を高めることができる。
【００２１】
サーバ３は、荷物Ｗの積載設定の情報を配送部４へ出力する。配送部４は、輸送すべき荷物Ｗの積載情報を出力する出力部として機能する部位である。配送部４は、例えば配送営業所、配送センタ又は輸送クロスドックなどに設置される端末、集配するドライバが携帯する端末などが該当する。配送部４は、モニタの表示などにより、輸送車１０に積載すべき荷物Ｗの積載情報を出力する。例えば、配送部４は、輸送すべき荷物Ｗ（匂いの強い荷物Ｗ１を含む）と積載すべき輸送車１０を関連付けて表示する。具体的には、各荷物Ｗをどの輸送車１０のコンテナ１１に積載すべきかが少なくとも表示される。この荷物Ｗの積載情報に基づいて輸送車１０のコンテナ１１に荷物Ｗが積載される。この積載作業は、ドライバや作業員による人力によって行われてもよいし、フォークリフトなどの積載機器やベルトコンベアなどの積載機構を用いて行ってもよい。
【００２２】
図３は、物流システム１のクロスドックＡにおける荷物Ｗの流れの一例を示している。図３に示すように、輸送車１０は、荷物Ｗ（匂いの強い荷物Ｗ１を含む）の輸送元のクロスドックＡで荷物Ｗを受け取り、受け取った荷物Ｗを輸送先のクロスドックＡへ輸送する。クロスドックＡは、複数の荷物Ｗが集約される施設であり、荷物Ｗの輸送の中継地点となる。例えば、クロスドックＡは、複数の地点にそれぞれ設けられている。例えば、輸送車１０は、クロスドックＡ間において複数の荷物Ｗを一度に輸送することができる大型の車両であってもよい。
【００２３】
例えば、クロスドックＡには、複数の集配車２０によって複数の荷物Ｗが集められる。クロスドックＡに集められた荷物Ｗは、荷物Ｗの送り先に基づいて中継地点となるクロスドックＡごとに仕分けされる。仕分けされた荷物Ｗは、輸送車１０に積み込まれ、輸送先のクロスドックＡへ輸送される。また、輸送車１０によってクロスドックＡに輸送された荷物Ｗは、集配車２０に積み込まれ、各配送先へ配送される。
【００２４】
クロスドックＡは、幹線道路脇又は幹線道路付近に設けられている。また、クロスドックＡは、高速道路の出入口付近又は高速道路脇に設けられていてもよい。これらにより、輸送車１０は、クロスドックＡ間において道幅の広い幹線道路又は高速道路を主に走行することができ、荷物Ｗを容易に輸送できる。
【００２５】
次に本実施形態に係る物流システム１の動作について説明する。
【００２６】
図４は、物流システム１の動作を示すフローチャートである。図４のフローチャートは、例えばサーバ３によって実行される。まず、図４のＳ１０に示すように、荷物情報の取得処理が行われる。荷物情報の取得処理は、輸送すべき荷物Ｗの荷物情報を取得する処理である。サーバ３の荷物情報取得部３１は、受注部２から入力される荷物Ｗの情報を荷物情報として取得し記録する。荷物情報は、荷物Ｗの配送先、大きさ、重量、物品の種類などである。
【００２７】
そして、Ｓ１２に処理が移行し、輸送すべき荷物Ｗの中に匂いの強い荷物Ｗがあるか否かが判定される。判定部３２は、Ｓ１０で取得された荷物情報に基づいて荷物Ｗの物品が匂いの強い物品である場合、その荷物Ｗを匂いの強い荷物Ｗ１として記録する。そして、判定部３２は、輸送すべき荷物Ｗの中に匂いの強い荷物Ｗ１が含まれているかどうかを判定する。
【００２８】
Ｓ１２にて輸送すべき荷物Ｗの中に匂いの強い荷物Ｗがないと判定された場合、通常積載設定処理が行われる（Ｓ１４）。通常積載設定処理は、匂いの強い荷物Ｗの混載を考慮せずに、荷物Ｗの積載設定を行う処理である。例えば、積載設定部３４は、荷物Ｗの大きさ、重量を含む荷物情報を考慮してコンテナ１１にできるだけ多くの荷物Ｗが積載できるように積載設定を行う。コンテナ１１には積載重量制限及び積載容量制限があるが、これらの積載重量制限及び積載容量制限を考慮してコンテナ１１に対する積載設定が行われる。また、輸送車１０が荷物Ｗの配達車両である場合、配達順序に従って積載してもよい。
【００２９】
Ｓ１２にて輸送すべき荷物Ｗの中に匂いの強い荷物Ｗがあると判定された場合、相性調整積載設定処理が行われる（Ｓ１６）。相性調整積載設定処理は、匂いの強い荷物Ｗ１について、匂いの相性の良い荷物同士を同一の輸送車１０のコンテナ１１に積載するように積載設定を行う処理である。例えば、積載設定部３４は、記憶部３３に記憶される匂いの強い荷物Ｗ１について混載の相性の良い荷物の組合せデータに基づいて、匂いの強い荷物Ｗ１の積載設定を行う。具体的には、輸送すべき荷物Ｗとして、同じ組合せであるコーヒーとカレーの匂いの強い荷物Ｗ１がある場合、異なる物品の荷物Ｗ１であっても同じコンテナ１１に積載されるように積載設定が行われる。また、同じ組合せであるしょう油とバターの匂いの強い荷物Ｗ１についても、同じコンテナ１１に積載されるように積載設定が行われる。また、同じ組合せであるシンナーとガソリンとゴムの匂いの強い荷物Ｗ１についても、同じコンテナ１１に積載されるように積載設定が行われる。また、同じ組合せである草木と薬草の匂いの強い荷物Ｗ１についても、同じコンテナ１１に積載されるように積載設定が行われる。また、同じ組合せである魚とのりと煮干しの匂いの強い荷物Ｗ１についても、同じコンテナ１１に積載されるように積載設定が行われる。このように異なる物品について匂いの強い荷物Ｗ１がある場合であっても、異なるコンテナ１１に積載することなく、同じコンテナ１１に積載設定が可能となる。このため、荷物Ｗの積載効率及び荷物Ｗの輸送効率を高めることができる。
【００３０】
Ｓ１４の通常積載設定処理及びＳ１６の相性調整積載設定処理を終えたら、Ｓ１８に処理が移行し、積載情報の出力処理が行われる（Ｓ１８）。出力処理は、積載設定した情報を配送部４へ出力する処理である。サーバ３は、積載設定した情報を配送部４へ出力する。そして、配送部４へ出力された積載設定に基づいて輸送車１０のコンテナ１１へ荷物Ｗが積載される。Ｓ１８の出力処理を終えたら、図３の一連の制御処理を終了する。
【００３１】
以上説明したように、本実施形態に係る物流システム１によれば、匂いの強い荷物Ｗ１を輸送する場合、匂いについて相性の良い荷物同士を同一の輸送車１０に積載する。これにより、匂いの強い荷物Ｗ１を他の荷物Ｗ１と混載して輸送することできる。このため、荷物Ｗの輸送を効率良く行うことができる。
【００３２】
例えば、異なる物品の匂いの強い荷物Ｗ１について、それぞれ異なる輸送車１０に積載して輸送を行うことが考えられる。この場合、輸送車１０のコンテナ１１に積載できる荷物Ｗが同じ物品のものに限られる。従って、コンテナ１１に荷物Ｗが十分に積載していない状態で輸送せざるを得ないことが多くなる。これに対し、本実施形態に係る物流システム１では、異なる物品の匂いの強い荷物Ｗ１であっても、匂いについて相性の良い荷物同士を同一の輸送車１０に積載する。これにより、異なる物品の匂いの強い荷物Ｗ１を混載して輸送することできる。従って、輸送車１０によってより多くの荷物Ｗを輸送することができ、荷物Ｗの輸送を効率良く行うことができるのである。
【００３３】
また、本実施形態に係る物流システム１によれば、記憶部３３に記憶される組合せデータに基づいて匂いの強い荷物Ｗ１の積載の設定が行われる。このため、相性の良い荷物同士の積載設定が的確に行うことができる。
【００３４】
以上のように、本発明の実施形態について説明したが、本発明は上述した実施形態に限定されるものではない。本発明は、特許請求の範囲の記載の要旨を逸脱しない範囲で様々な変形態様で実施することができる。
【００３５】
例えば、上述した実施形態においては、輸送車１０がクロスドックＡと他のクロスドックＡの間の輸送を行う場合を説明したが、輸送車１０は、輸送クロスドック又は集配所から配送先へ荷物Ｗの配送を行う車両として用いてもよい。
【００３６】
また、上述した実施形態においては、匂いの強い荷物Ｗ１を他の荷物Ｗと混載しないように積載設定を行っているが、発注者から匂いの強い荷物Ｗ１の混載の承諾を受けている荷物Ｗについては、匂いの強い荷物Ｗ１と混載して荷物Ｗの輸送を行ってもよい。この場合、荷物Ｗの輸送価格を割り引きし又は輸送価格を低くしてもよい。
【符号の説明】
【００３７】
１  物流システム
２  受注部
３  サーバ
４  配送部
１０  輸送車
１１  コンテナ
２０  集配車
３１  荷物情報取得部
３２  判定部
３３  記憶部
３４  積載設定部
Ａ  クロスドック
Ｗ  荷物
Ｗ１  匂いの強い荷物
【図１】
2020170246.tif 000003
【図２】
2020170246.tif 000004
【図３】
2020170246.tif 000005
【図４】
2020170246.tif 000006